【事件の表示】
　商願２０１９−３１３２５拒絶査定不服審判事件について、次のとおり審決する。
【結　論】
　原査定を取り消す。
　本願商標は、登録すべきものとする。
【理　由】
１　手続の経緯
　本願は、平成３１年２月２８日の出願であって、その手続の経緯は以下のとおりである。
　令和２年１月３０日付け：拒絶理由通知書
　令和２年３月１３日：意見書、手続補正書の提出
　令和２年７月６日付け：拒絶査定
　令和２年１０月９日：審判請求書、手続補正書の提出
　令和３年７月７日付け：審尋
　令和３年７月２１日：手続補正書の提出
２　本願商標
　本願商標は、「ｂｏｗｌ」の文字を標準文字で表してなり、第１８類、第２１類、第２５類、第３０類及び第３５類に属する願書記載のとおりの商品及び役務を指定商品及び指定役務として登録出願され、その後、指定商品及び指定役務については、前記１の手続補正により、第３５類「履物の小売又は卸売の業務において行われる顧客に対する便益の提供，かばん類及び袋物の小売又は卸売の業務において行われる顧客に対する便益の提供，食肉の小売又は卸売の業務において行われる顧客に対する便益の提供，食用水産物の小売又は卸売の業務において行われる顧客に対する便益の提供，野菜及び果実の小売又は卸売の業務において行われる顧客に対する便益の提供，菓子及びパンの小売又は卸売の業務において行われる顧客に対する便益の提供，米穀類の小売又は卸売の業務において行われる顧客に対する便益の提供，牛乳の小売又は卸売の業務において行われる顧客に対する便益の提供，清涼飲料及び果実飲料の小売又は卸売の業務において行われる顧客に対する便益の提供，茶・コーヒー及びココアの小売又は卸売の業務において行われる顧客に対する便益の提供，加工食料品の小売又は卸売の業務において行われる顧客に対する便益の提供，自動車の小売又は卸売の業務において行われる顧客に対する便益の提供，二輪自動車の小売又は卸売の業務において行われる顧客に対する便益の提供，自転車の小売又は卸売の業務において行われる顧客に対する便益の提供，家具の小売又は卸売の業務において行われる顧客に対する便益の提供，建具の小売又は卸売の業務において行われる顧客に対する便益の提供，畳類の小売又は卸売の業務において行われる顧客に対する便益の提供，葬祭用具の小売又は卸売の業務において行われる顧客に対する便益の提供，電気機械器具類の小売又は卸売の業務において行われる顧客に対する便益の提供，手動利器・手動工具及び金具の小売又は卸売の業務において行われる顧客に対する便益の提供，台所用品・清掃用具及び洗濯用具の小売又は卸売の業務において行われる顧客に対する便益の提供，薬剤及び医療補助品の小売又は卸売の業務において行われる顧客に対する便益の提供，せっけん類の小売又は卸売の業務において行われる顧客に対する便益の提供，農耕用品の小売又は卸売の業務において行われる顧客に対する便益の提供，花及び木の小売又は卸売の業務において行われる顧客に対する便益の提供，燃料の小売又は卸売の業務において行われる顧客に対する便益の提供，印刷物の小売又は卸売の業務において行われる顧客に対する便益の提供，紙類及び文房具類の小売又は卸売の業務において行われる顧客に対する便益の提供，運動具の小売又は卸売の業務において行われる顧客に対する便益の提供，おもちゃ・人形及び娯楽用具の小売又は卸売の業務において行われる顧客に対する便益の提供，楽器及びレコードの小売又は卸売の業務において行われる顧客に対する便益の提供，写真機械器具及び写真材料の小売又は卸売の業務において行われる顧客に対する便益の提供，時計及び眼鏡の小売又は卸売の業務において行われる顧客に対する便益の提供，たばこ及び喫煙用具の小売又は卸売の業務において行われる顧客に対する便益の提供，建築材料の小売又は卸売の業務において行われる顧客に対する便益の提供，宝玉及びその模造品の小売又は卸売の業務において行われる顧客に対する便益の提供，愛玩動物の小売又は卸売の業務において行われる顧客に対する便益の提供」と補正されたものである。
３　原査定の拒絶の理由の要点
　原査定において、本願商標が商標法第４条第１項第１１号に該当するとして、本願の拒絶の理由に引用した登録商標は、以下のとおりであり、いずれも現に有効に存続しているものである。
　以下、これらをまとめて「引用商標」という。
（１）登録第１７１３０３７号商標（以下「引用商標１」という。）
商標の構成　別掲１のとおり
指定商品　第１類、第２類、第４類、第１６類及び第２８類に属する商標登録原簿に記載のとおりの商品
登録出願日　昭和５２年１２月２２日
設定登録日　昭和５９年９月２６日
　なお、指定商品は、平成１７年７月２０日に指定商品の書換登録がされた結果、上記のとおりとなった。
（２）登録第１８５３５２１号商標（以下「引用商標２」という。）
商標の構成　別掲２のとおり
指定商品　第１類、第２類、第４類、第１６類及び第２８類に属する商標登録原簿に記載のとおりの商品
登録出願日　昭和５８年１０月２７日
設定登録日　昭和６１年４月２３日
　なお、指定商品は、平成１８年６月２８日に指定商品の書換登録がされた結果、上記のとおりとなった。
（３）登録第２０３８８４５号商標（以下「引用商標３」という。）
商標の構成　別掲２のとおり
指定商品　第６類、第７類、第８類、第９類、第１１類、第１２類、第１５類、第１６類、第１７類、第１９類、第２０類、第２１類、第２６類及び第２８類に属する商標登録原簿に記載のとおりの商品
登録出願日　昭和６０年７月３０日
設定登録日　昭和６３年４月２６日
　なお、指定商品は、平成２０年１０月１日に指定商品の書換登録がされた結果、上記のとおりとなった。
（４）登録第２１８０３０４号商標（以下「引用商標４」という。）
商標の構成　別掲２のとおり
指定商品　第４類、第５類、第６類、第８類、第１０類、第１１類、第１６類、第１８類、第１９類、第２０類、第２１類、第２４類、第２６類、第２７類及び第２８類に属する商標登録原簿に記載のとおりの商品
登録出願日　昭和５８年１０月２７日
設定登録日　平成元年１０月３１日
　なお、指定商品は、平成２１年７月８日に指定商品の書換登録がされた結果、上記のとおりとなった。
（５）登録第２４９１０３６号商標（以下「引用商標５」という。）
商標の構成　「ＢＡＬＬ」
指定商品　第１８類及び第２５類に属する商標登録原簿に記載のとおりの商品
登録出願日　昭和５９年８月７日
設定登録日　平成４年１２月２５日
　なお、指定商品は、平成１４年１１月６日に指定商品の書換登録がされた結果、上記のとおりとなった。
（６）登録第２６６７３０２号商標（以下「引用商標６」という。）
商標の構成　別掲３のとおり
指定商品　第２４類及び第２５類に属する商標登録原簿に記載のとおりの商品
登録出願日　平成２年１０月３日
設定登録日　平成６年５月３１日
　なお、指定商品は、平成１６年７月２１日に指定商品の書換登録がされた結果、上記のとおりとなった。
（７）登録第２６６７３０３号商標（以下「引用商標７」という。）
商標の構成　「ボール」
指定商品　第２４類及び第２５類に属する商標登録原簿に記載のとおりの商品
登録出願日　平成２年１０月３日
設定登録日　平成６年５月３１日
　なお、指定商品は、平成１７年１月５日に指定商品の書換登録がされた結果、上記のとおりとなった。
（８）登録第３１７３０７８号商標（以下「引用商標８」という。）
商標の構成　別掲３のとおり
指定商品　第９類に属する商標登録原簿に記載のとおりの商品
登録出願日　平成５年８月３日
設定登録日　平成８年６月２８日
（９）登録第３３６２９８６号商標（以下「引用商標９」という。）
商標の構成　別掲４のとおり
指定商品　第３類に属する商標登録原簿に記載のとおりの商品
登録出願日　平成７年１０月５日
設定登録日　平成９年１１月２８日
（１０）登録第４４４０３５９号商標（以下「引用商標１０」という。）
商標の構成　別掲２のとおり
指定商品　第３類に属する商標登録原簿に記載のとおりの商品
登録出願日　平成１１年１０月１８日
設定登録日　平成１２年１２月１５日
（１１）登録第４５０８８６２号商標（以下「引用商標１１」という。）
商標の構成　「ＢＡＬＬ」（標準文字）
指定商品　第１４類に属する商標登録原簿に記載のとおりの商品
登録出願日　平成１２年１１月２日
設定登録日　平成１３年９月２１日
（１２）登録第４５７９５７６号商標（以下「引用商標１２」という。）
商標の構成　別掲２のとおり
指定商品　第１類、第４類、第５類、第９類、第１０類及び第１６類に属する商標登録原簿に記載のとおりの商品
登録出願日　平成１３年７月５日
設定登録日　平成１４年６月２１日
（１３）登録第４８２９３５６号商標（以下「引用商標１３」という。）
商標の構成　別掲３のとおり
指定商品　第１８類に属する商標登録原簿に記載のとおりの商品
登録出願日　平成１６年６月３０日
設定登録日　平成１６年１２月２４日
（１４）登録第４９８３１５７号商標（以下「引用商標１４」という。）
商標の構成　「ＢＡＬＬ」（標準文字）
指定商品　第２５類に属する商標登録原簿に記載のとおりの商品
登録出願日　平成１７年３月２８日
設定登録日　平成１８年９月１日
（１５）登録第５１４５８５３号商標（以下「引用商標１５」という。）
商標の構成　「ＢＡＬＬ」（標準文字）
指定役務　第３５類に属する商標登録原簿に記載のとおりの役務
登録出願日　平成１９年６月１９日
設定登録日　平成２０年６月２７日
（１６）登録第５４２４１２５号商標（以下「引用商標１６」という。）
商標の構成　「ボール」（標準文字）
指定商品　第３３類に属する商標登録原簿に記載のとおりの商品
登録出願日　平成２１年１２月２１日
設定登録日　平成２３年７月８日
（１７）登録第５４４０７３４号商標（以下「引用商標１７」という。）
商標の構成　別掲５のとおり
指定商品　第８類に属する商標登録原簿に記載のとおりの商品
登録出願日　平成２３年１月２６日
設定登録日　平成２３年９月２２日
（１８）登録第５４６４５３１号商標（以下「引用商標１８」という。）
商標の構成　別掲２のとおり
指定商品　第２類及び第８類に属する商標登録原簿に記載のとおりの商品
登録出願日　平成２３年７月１１日
設定登録日　平成２４年１月２０日
（１９）登録第５４９７９２２号商標（以下「引用商標１９」という。）
商標の構成　別掲２のとおり
指定商品　第６類、第１２類、第１７類、第１８類、第１９類、第２０類、第２１類、第２２類、第２４類、第２５類及び第３１類に属する商標登録原簿に記載のとおりの商品
登録出願日　平成２３年１２月１４日
設定登録日　平成２４年６月１日
（２０）登録第５７４１３７３号商標（以下「引用商標２０」という。）
商標の構成　「Ｂａｌｌ」（標準文字）
指定商品　第３３類に属する商標登録原簿に記載のとおりの商品
登録出願日　平成２６年１０月２日
設定登録日　平成２７年２月１３日
（２１）登録第５９８９９６１号商標（以下「引用商標２１」という。）
商標の構成　別掲６のとおり
指定商品　第６類、第８類、第１６類、第２０類及び第２１類に属する商標登録原簿に記載のとおりの商品
登録出願日　平成２７年６月２９日
設定登録日　平成２９年１０月２０日
（２２）登録第６０６３６６３号商標（以下「引用商標２２」という。）
商標の構成　「ボール」
指定商品　第３３類に属する商標登録原簿に記載のとおりの商品
登録出願日　平成２９年１１月２４日
設定登録日　平成３０年７月２０日
４　当審の判断
（１）本願商標と引用商標７、９、１６及び２２について
　本願商標の指定役務は、前記２のとおり補正された結果、引用商標７、９、１６及び２２の指定商品と類似の役務はすべて削除され、引用商標７、９、１６及び２２の指定商品と類似しない役務となった。
　したがって、本願商標は引用商標７、９、１６及び２２との関係において、商標法第４条第１項第１１号に該当するとした原査定の拒絶の理由は、解消した。
（２）本願商標と引用商標１ないし６、８、１０ないし１５、１７ないし２１について
　ア　本願商標について
　本願商標は、前記２のとおり、「ｂｏｗｌ」の欧文字を標準文字で表してなるところ、当該文字は「はち，（料理用の）ボウル」（「ベーシックジーニアス英和辞典」大修館書店）の意味を有すると容易に理解させる平易な英語であるから、本願商標からは「ボウル」又は「ボール」の称呼、及び「はち，（料理用の）ボウル」の観念を生じるものである。
　イ　引用商標１について
　引用商標１は、別掲１のとおり、上段に縫い目模様のある円形図形を配し、下段に「ボール」の片仮名を横書きした構成よりなるところ、引用商標１の円形図形は、直ちに特定の事物を認識させるものとはいい難いものの、「ボール」の文字と当該円形図形内の縫い目模様とがあいまって、「（野球の）ボール」の観念を想起するというのが相当である。
　したがって、引用商標１は、その構成全体から「（野球の）ボール」の観念を生じ、「ボール」の文字に相応して、「ボール」の称呼を生じるものである。
　ウ　引用商標２ないし４、１０、１２、１８及び１９について
　引用商標２ないし４、１０、１２、１８及び１９は、別掲２のとおり、「Ｂ」の欧文字、縫い目模様のある円形図形及び「ＬＬ」の欧文字を連結してなるところ、いずれも同じ大きさ及び等間隔をもって表され、視覚上、まとまりある一体的なものとして看取されるものであり、また、「ＢＡＬＬ」の欧文字が「（球技用の）ボール，球」（「ベーシックジーニアス英和辞典」大修館書店）の意味を有する平易な英語であることとあいまって、引用商標２ないし４、１０、１２、１８及び１９に接した看者をして「ＢＡＬＬ」の語を看取させ、当該円形図形も、「（野球の）ボール」の観念を想起するというのが相当である。
　したがって、引用商標２ないし４、１０、１２、１８及び１９は、その構成全体から「ボール」の称呼及び「（野球の）ボール」の観念を生じるものである。
　エ　引用商標５、１１、１４、１５、２０及び２１について
　引用商標５は「ＢＡＬＬ」の文字を横書きしてなり、引用商標１１、１４及び１５は、「ＢＡＬＬ」の欧文字を標準文字で表してなり、引用商標２０は「Ｂａｌｌ」の欧文字を標準文字で表してなり、引用商標２１は「Ｂａｌｌ」の欧文字を筆記体風にデザイン化した構成よりなるところ、前記ウと同様に、当該文字は「球」の意味を有する平易な英語であるから、引用商標５、１１、１４、１５、２０及び２１からは、「ボール」の称呼及び「球」の観念を生じるものである。
　オ　引用商標６、８及び１３について
　引用商標６、８及び１３は、別掲３のとおり、ひし形の輪郭内に「ＢＡＬＬ」の欧文字を配置した構成よりなるところ、その構成中のひし型の輪郭は、ありふれた態様であることから、本願商標中、出所識別標識として機能する部分は、「ＢＡＬＬ」の欧文字部分であるというべきである。
　そして、「ＢＡＬＬ」の欧文字は、前記エと同様であるから、引用商標６、８及び１３からは、「ボール」の称呼及び「球」の観念を生じるものである。
　カ　引用商標１７について
　引用商標１７は、別掲５のとおり、上段に縫い目模様のある円形図形を配し、下段に「ＢＡＬＬ印」の文字を横書きした構成よりなるところ、引用商標１７の円形図形は、直ちに特定の事物を認識させるものとはいい難いものの、「球」を意味する「ＢＡＬＬ」の文字と当該円形図形内の縫い目模様とがあいまって、「（野球の）ボール」の観念を想起するというのが相当である。
　また、構成中の「印」の文字は、「目印、記号」等を意味し、「○○印」のように、他と区別するための印であることを表す語として用いられていることは、商取引の実際に照らし明らかであるから、自他商品の識別標識としての機能が極めて弱い部分ということができる。
　したがって、引用商標１７は、その構成中の円形図形に相応して、「（野球の）ボール」の観念を生じ、「ＢＡＬＬ印」の文字に相応して、「ボールジルシ」及び「ボール」の称呼を生じるものである。
　キ　本願商標と引用商標１ないし６、８、１０ないし１５、１７ないし２１との類否について
　本願商標と引用商標１ないし６、８、１０ないし１５、１７ないし２１との類否について検討するに、本願商標と引用商標１ないし６、８、１０ないし１５、１７ないし２１とは、前記アないしカのとおりの構成からなるところ、それぞれの構成文字及び態様において、明らかな差異を有するものであるから、本願商標と引用商標１ないし６、８、１０ないし１５、１７ないし２１とは、外観上、明確に区別できるものである。
　次に、称呼においては、本願商標と引用商標１ないし６、８、１０ないし１５、１７ないし２１とは、いずれも「ボール」の称呼を生じるから、両商標は、称呼を共通にするものである。
　そして、観念においては、本願商標からは、「はち，（料理用の）ボウル」の観念が生じるのに対し、引用商標１ないし６、８、１０ないし１５、１７ないし２１からは、「球」又は「（野球の）ボール」の観念が生じるから、両商標は、観念において相紛れるおそれのないものである。
　そうすると、本願商標と引用商標１ないし６、８、１０ないし１５、１７ないし２１とは、称呼を共通にする場合があるとしても、外観において明らかに区別することができ、観念においても相紛れるおそれはないものであるから、その外観、称呼及び観念によって取引者、需要者に与える印象、記憶、連想等を総合して全体的に考察すれば、両商標は、相紛れるおそれのない非類似の商標と判断するのが相当である。
（３）まとめ
　以上のとおり、本願の指定役務は、補正により引用商標７、９、１６及び２２に係る指定商品とは非類似の役務となり、また、本願商標と引用商標１ないし６、８、１０ないし１５、１７ないし２１とは非類似の商標であるから、本願商標が商標法第４条第１項第１１号に該当するとした原査定は、取消しを免れない。
　その他、本願について拒絶の理由を発見しない。
　よって、結論のとおり審決する。